(57)【要約】  簡易な操作で液体の放出角度を変化させる。  体内に挿入される細長い筒状のシース（２）と、該シース（２）内に長手軸方向に移動可能に配置され、高周波電流が供給される電極部材（３）と、シース（２）の基端側に接続され、該シース（２）の長手軸方向に形成された流路（９）を介して送液する送液手段とを備え、シース（２）の先端に、電極部材３を移動可能に挿入配置させる摺動孔（６ａ）と、送液手段によって送液されてきた液体（Ｃ）を放出させる放出口（９ａ）とが設けられ、電極部材（３）の先端に摺動孔６ａより大きく径方向外方に鍔状に延びる先端部（３ｂ）が設けられ、放出口（９ａ）が、先端部（３ｂ）のシース（２）の先端からの距離に応じて、前方に放出される液体（Ｃ）の長手軸に対する放出角度を変化させる形状および位置に形成されている高周波処置具（１）を提供する。
2016013255.tif 000002
【特許請求の範囲】
【請求項１】
体内に挿入される細長い筒状のシースと、
該シース内に長手軸方向に移動可能に配置され、高周波電流が供給される電極部材と、
前記シースの基端側に接続され、該シースに形成された流路を介して送液する送液手段とを備え、
前記シースの先端に、前記電極部材を移動可能に挿入配置させる摺動孔と、前記送液手段によって送液されてきた液体を放出させる放出口とが設けられ、
前記電極部材の先端に前記摺動孔より大きく径方向外方に鍔状に延びる先端部が設けられ、
前記放出口が、前記先端部の前記シースの先端からの距離に応じて、前方に放出される液体の前記長手軸に対する放出角度を変化させる形状および位置に形成されている高周波処置具。
【請求項２】
前記放出口は、前記電極部材が前記シースの先端から離間させられた状態で、放出された液体が前記長手軸に沿う方向に放出されるように形成されている請求項１に記載の高周波処置具。
【請求項３】
前記放出口は、前記先端部が前記シースの先端に突き当たる位置まで前記電極部材が後退させられた状態で、放出された液体が、前記長手軸に対して角度をなして放出されるように形成されている請求項１または請求項２に記載の高周波処置具。
【請求項４】
前記放出口が、前記摺動孔の回りに周方向に間隔をあけて複数設けられている請求項１から請求項３のいずれかに記載の高周波処置具。
【発明の詳細な説明】
【技術分野】
【０００１】
本発明は、高周波処置具に関するものである。
【背景技術】
【０００２】
従来、高周波電流を通電して粘膜等の生体組織を処置する高周波処置具が知られている（例えば、特許文献１参照。）。
この高周波処置具は、電気絶縁性を有する可撓性シースの先端の摺動孔に、軸方向に進退可能に電極を挿入配置し、可撓性シース内を送液されてきた液体を摺動孔に連通する送液開口部を介して可撓性シースの先端から放出させることができる構造を有している。【０００３】
この高周波処置具によれば、電極に通電することによる高周波処置の最中に出血した場合に、高周波処置具を入れ替えることなく、可撓性シースの先端から放出される生理食塩水等の液体によって洗浄することができ、術中の出血に対して迅速、確実に止血処置を行うことができる。また、この高周波処置具は、電極の先端に設けた大径部が送液開口部を閉塞するように配置されるため、電極を前進させて液体の流れが大径部の影響を大きく受けないように大径部を送液開口部から離して配置すれば、液体を真っ直ぐに放出することができる。
【先行技術文献】
【特許文献】
【０００４】
【特許文献１】特許第４３１５７２５号公報
【発明の概要】
【発明が解決しようとする課題】
【０００５】
しかしながら、出血部位を洗浄するには、液体を真っ直ぐに出血部位に向けて放出して洗浄を行うのみならず、液体をかける位置を移動させて洗浄することが要求される場合もある。
本発明は上述した事情に鑑みてなされたものであって、簡易な操作で液体の放出角度を変化させることができる高周波処置具を提供することを目的としている。
【課題を解決するための手段】
【０００６】
上記目的を達成するために、本発明は以下の手段を提供する。
本発明の一態様は、体内に挿入される細長い筒状のシースと、該シース内に長手軸方向に移動可能に配置され、高周波電流が供給される電極部材と、前記シースの基端側に接続され、該シースに形成された流路を介して送液する送液手段とを備え、前記シースの先端に、前記電極部材を移動可能に挿入配置させる摺動孔と、前記送液手段によって送液されてきた液体を放出させる放出口とが設けられ、前記電極部材の先端に前記摺動孔より大きく径方向外方に鍔状に延びる先端部が設けられ、前記放出口が、前記先端部の前記シースの先端からの距離に応じて、前方に放出される液体の前記長手軸に対する放出角度を変化させる形状および位置に形成されている高周波処置具を提供する。【０００７】
本態様によれば、体内の組織の切断等の処置は、シースに対して電極部材を前進させて先端部の突出量を増大させ、電極部材に高周波電流を供給することにより行われる。組織の切断や剥離を行う際に、鍔状の先端部を周辺組織に引っ掛けることにより、滑らずに安定して処置を行うことができる。また、シースの先端に電極部材の先端部が突き当たるまで最大限に後退させて、シースの先端に電極部材の先端部のみが露出した状態とすることにより、高周波電流を供給しても焼灼領域を必要以上に深くせずにマーキングを行うことができる。【０００８】
そして、処置を行っている部位において出血が生じた場合には、送液手段を作動させて、シースを長手方向に貫通する流路を介して送液した液体をシースの先端の放出口から放出させることにより、出血部位近傍に液体を放出して洗浄することができる。この場合において、電極部材をシースに対して進退させてシースの先端からの電極部材の先端部の距離を変化させると、液体の放出角度が変化するので、処置の対象に対して液体をかける位置を変化させることができる。例えば、経内視鏡的に処置を行う場合に、電極部材を進退させるだけで視野を固定したままで液体をかける位置を変化させ洗浄することができる。【０００９】
なお、粘膜下層に液体を局注する場合には、電極が必要以上に組織に刺さらないように、電極部材を後退させてシースの先端に電極部材の先端部のみが露出した状態としても、シースの先端を組織の表面に押し当てた状態で液体が放出されるため、液体の放出方向には関係なく、粘膜下層に液体を局注することができる。【００１０】
上記態様においては、前記電極部材が前記シースの先端から離間させられた状態で、放出された液体が前記長手軸に沿う方向に放出されるように前記放出口が形成されていてもよい。
このようにすることで、電極部材を最大限に前進させた状態で送液手段を作動させることにより、液体をシースの長手軸に沿って真っ直ぐに放出し、狙った位置に液体をかけて洗浄等を行うことができる。電極部材の進退方向の位置調節が困難であっても、最大限に前進させるだけで容易に、長手軸に沿う放出を実現することができる。【００１１】
また、上記態様においては、前記先端部が前記シースの先端に突き当たる位置まで前記電極部材が後退させられた状態で、放出された液体が、前記長手軸に対して角度をなして放出されるように前記放出口が形成されていてもよい。
このようにすることで、電極部材を最大限に後退させた状態で送液手段を作動させることにより、液体をシースの長手軸に対して斜め外方に放出し、液体をかける位置をずらすことができる。電極部材の進退方向の位置調節が困難であっても、最大限に後退させるだけで容易に、洗浄位置をずらずことができる。【００１２】
また、上記態様においては、前記放出口が、前記摺動孔の回りに周方向に間隔をあけて複数設けられていてもよい。
このようにすることで、電極部材を前進させて先端部をシースの先端から離した状態で送液手段を作動させることにより、各放出口から放出される液体を長手軸に沿う一方向に合流させて放出することができ、電極部材を後退させて先端部をシースの先端に近接させると、各放出口から放出される液体を異なる方向に広がるように放出することができる。これにより、液体をかける範囲を変化させることができる。
【発明の効果】
【００１３】
本発明によれば、簡易な操作で液体の放出角度を変化させることができるという効果を奏する。
【図面の簡単な説明】
【００１４】
【図１】本発明の一実施形態に係る高周波処置具を示す、一部を拡大縦断面図とした全体構成図である。
【図２】図１の高周波処置具をシースの先端側からみた、一部を切断した正面図である。
【図３】図１の高周波処置具の電極部材を前進させた状態のシースの先端近傍の縦断面図である。
【図４】図１の高周波処置具の電極部材を後退させた状態のシースの先端近傍の縦断面図である。
【図５】図１の高周波処置具の第１の変形例を示すシースの先端近傍の縦断面図である。
【図６】図１の高周波処置具の第２の変形例を示すシースの先端近傍の縦断面図である。
【図７】図１の高周波処置具の第３の変形例を示すシースの先端近傍の縦断面図である。
【図８】図１の高周波処置具の第４の変形例を示すシースの先端近傍の縦断面図である。
【発明を実施するための形態】
【００１５】
本発明の一実施形態に係る高周波処置具１について、図面を参照して以下に説明する。
本実施形態に係る高周波処置具１は、例えば、内視鏡の挿入部に設けられたチャネルを介して先端が体内に導入される処置具であって、図１に示されるように、チャネル内に挿入可能な細長い円筒状に形成され、可撓性を有するシース２と、該シース２の先端において進退させられる電極部材３と、該電極部材３をシース２の基端側において押し引きする操作部４と、シース２の内孔２ａを経由してシース２の先端から液体を放出させる送液手段５とを備えている。
【００１６】
シース２の先端には内孔２ａを閉塞するように先端チップ６が固定されている。先端チップ６には、図２に示されるように、電極部材３を移動可能に挿入配置させる摺動孔６ａが設けられているとともに、該摺動孔６ａの内面に長手方向に沿って複数、例えば、４カ所の溝６ｂが設けられている。シース２および先端チップ６は電気絶縁性の材料によって構成されている。
【００１７】
電極部材３は、先端チップ６の摺動孔６ａの内径よりも若干小さな外径寸法を有する丸棒状の柱状部３ａと、該柱状部３ａの先端に全周にわたって径方向外方に鍔状に延びる先端部３ｂとを備えている。先端部３ｂは、その先端側の周縁が丸みを帯びた略円板状に形成されている。該先端部３ｂの外径寸法は、摺動孔６ａの径寸法より大きく設定されており、電極部材３が後退させられると、先端部３ｂの背面３ｃが先端チップ６の先端面６ｃに突き当たってそれ以上後退できないように係止されるようになっている。
すなわち、電極部材３は、最大限に後退させられた状態で、先端チップ６の先端面６ｃよりも前方に先端部３ｂのみを露出させた状態に配置させられる。
【００１８】
操作部４は、シース２の基端側に取り付けられ指かけ孔４ａを有するハンドル４ｂと、該ハンドル４ｂに対してシース２の長手軸方向に移動可能に設けられた可動部４ｃと、シース２の内孔２ａ内に配置され可動部４ｃと電極部材３とを連結するワイヤ４ｄと、高周波電源１２にケーブル４ｅを介して接続するプラグ４ｆとを備えている。図中符号４ｇは可動部４ｃに設けられた指かけ孔である。
【００１９】
ハンドル４ｂに対して可動部４ｃをシース２の先端側に移動させると押圧力がワイヤ４ｄを介して電極部材３に伝達され、電極部材３が先端チップ６に対して前進する方向に移動させられるようになっている。また、ハンドル４ｂに対して可動部４ｃをシース２の基端側に移動させると、牽引力がワイヤ４ｄを介して電極部材３に伝達され、電極部材３が先端チップ６の摺動孔６ａに引き込まれる方向に後退させられるようになっている。そして、ハンドル４ｂに対して可動部４ｃを基端側に最大限に移動させると、電極部材３の先端部３ｂの背面３ｃが先端チップ６の先端面６ｃに突き当たって係止され、可動部４ｃがそれ以上移動できなくなるようになっている。
【００２０】
ワイヤ４ｄは導電性のストッパ部７によって電極部材３に接続されている。ストッパ部７は電極部材３の柱状部３ａを挿通させる摺動孔６ａの内径寸法よりも大きな外径寸法を有し、電極部材３が前進させられたときに先端チップ６の内側面に突き当たって、電極部材３の前方への突出量を制限するようになっている。また、高周波電源１２から供給された高周波電流をプラグ４ｆおよびワイヤ４ｄを介して電極部材３に供給することができるようになっている。
【００２１】
ハンドル４には、シース２の内孔２ａに連絡する接続口８が設けられている。
送液手段５は、接続口８に接続されるシリンジあるいはポンプ等であり、送液手段５の作動によって生理食塩水のような液体をシース２の内孔２ａに送り込むようになっている。
【００２２】
本実施形態においては、図２に示されるように、電極部材３の柱状部３ａが摺動孔６ａに嵌合挿入配置された状態で、４カ所の溝６ｂは柱状部３ａによって概略区画された４つの流路９を形成している。４つの流路９は、柱状部３ａの周方向に等間隔をあけて配置され、それぞれが、図３に示されるように、シース２の内孔２ａとワイヤ４ｄとの間に形成されている円筒状の流路１０を先端チップ６の前方に開放している。すなわち、４つの流路９は、先端チップ６の先端面６ｃにそれぞれの放出口９ａを有している。
【００２３】
そして、各流路９の放出口９ａは、電極部材３の先端部３ｂが前進させられて、先端チップ６の先端面６ｃから離れているときには、図３に示されるように、放出口９ａから放出される液体Ｃの多くが先端部３ｂを越えてシース２の長手軸の延長方向前方に放出され、先端部３ｂが先端チップ６の先端面６ｃに突き当たっているときには、図４に示されるように、先端部３ｂに突き当たってシース２の長手軸に対して傾斜した斜め前方に放出される位置および形状に形成されている。
【００２４】
具体的には、各流路９の放出口９ａは、図２に示されるように、電極部材３の先端部３ｂの外径よりも径方向外方に延びて開口しており、図４に示されるように、電極部材３が最も後退させられた状態では先端部３ｂによって部分的に閉塞されるようになっている。先端面３ｂの外径からの放出口９ａの突出量は、シース２の内孔２ａ内の流路１０を流動してきた液体Ｃが４つの流路９に分かれて先端チップ６の先端面６ｃの放出口９ａから放出させられる際に、先端部３ｂによって堰き止められることにより流動方向を径方向外方に変化させられて、斜め前方にそれぞれ放出される程度の大きさに設定されている。
【００２５】
このように構成された本実施形態に係る高周波処置具１の作用について、以下に説明する。
本実施形態に係る高周波処置具１を使用して、内視鏡的粘膜下層剥離術を行うには、操作部４を操作して、図４に示されるように、電極部材３を最大限に後退させた状態で、図示しない内視鏡の挿入部のチャネルを介してシース２を先端側から体内に導入していき、内視鏡の挿入部の先端からシース２の先端を突出させる。
【００２６】
これにより、シース２の先端に配置されている先端チップ６が内視鏡の視界に入るので、操作者は内視鏡により取得された画像を図示しないモニタで確認しながら、処置を行う。電極部材３を最大限に後退させた状態では、電極部材３の先端部３ｂのみが先端チップ６の先端面６ｃに露出しているので、この状態で電極部材３に高周波電流を印加しても組織が深く切り込まれることはなく、組織表面のみを焼酌するいわゆるマーキングを行うことができる。
【００２７】
すなわち、操作者はモニタに表示された内視鏡画像において切除すべき病変と思われる部位を取り囲む複数箇所に先端チップ６の先端面６ｃを押し当てて電極部材３に通電することにより、切除すべき病変部位の周囲を取り囲むマークを形成することができ、その後の処置の目安とすることができる。
【００２８】
この後に、操作部４を操作して、図３に示されるように、電極部材３を先端チップ６の先端面６ｃから突出させ、高周波電流を印加することにより、組織を切開して先端チップ６を病変部位の下の粘膜下層まで刺し入れる。次いで、操作部４を操作して電極部材３を最大限に後退させた状態とし、送液手段５を作動させて生理食塩水等の液体Ｃを先端面６ｃの放出口９ａから放出させる。これにより、液体Ｃが粘膜下層に局注され、病変部位が浮上させられた状態となる。
【００２９】
この状態で、シース２を粘膜下層から抜き出し、再度、操作部４を操作して電極部材３を突出させた状態として、マーキングにより形成されたマークを目安として病変部位の周囲の組織を切開していく。
切開途中で出血があった場合には、送液手段４を作動させて生理食塩水等の液体Ｃを先端チップ６の先端面６ｃの放出口９ａから放出させることにより洗浄することができる。
【００３０】
この場合において、電極部材３を前進させ、先端部３ｂを先端チップ６の先端面６ｃから離間させた状態で生理食塩水等の液体Ｃを放出させると、図３に矢印で示されるように先端チップ６の流路９の放出口９ａから放出されたほぼ全ての液体Ｃが先端部３ｂを越えて前方に向けて放出される。したがって、内視鏡画像に表示されているシース２の先端が向かう方向に液体Ｃが放出されるので、液体Ｃをかける位置を狙いやすく、狙った箇所の出血を素早く洗い流すことができる。
【００３１】
一方、出血が広範囲にわたる場合など、液体Ｃをかける位置を変化させたい場合がある。このような場合には、湾曲部を持たないシース２自体で先端を動かすことができないため、内視鏡の湾曲部の操作によってシース２の先端位置を移動する必要がある。しかしながら、内視鏡の湾曲部を操作する場合には内視鏡の視野が変化するためモニタに表示されている内視鏡画像も移動してしまう。
【００３２】
そこで、本実施形態に係る高周波処置具１では、操作部４を操作して電極部材３の先端部３ｂが先端チップ６の先端面６ｃに突き当たるまで電極部材３を後退させる。これにより、流路９の放出口９ａが先端部３ｂによって部分的に閉塞される。流路９の放出口９ａはこの状態となったときに液体Ｃの放出方向を変化させるように形成されているので、液体Ｃはその放出方向を、シース２の長手軸に沿う前方からシース２の長手軸に対して傾斜した斜め前方に変化させられる。これにより、内視鏡を動かすことなく、すなわち、モニタに表示されている内視鏡画像を変動させることなく、液体Ｃをかける位置を変化させることができる。
【００３３】
特に、本実施形態に係る高周波処置具１は、シース２の内孔２ａ内の流路１０を流動してきた液体Ｃを先端チップ６の４つの流路９に分岐させて、各流路９の放出口９ａから放出させるので、電極部材３を後退させた状態では、液体Ｃは、斜め前方の４方向に分岐して放出され、より広範囲に液体Ｃを散布することができる。したがって、広範囲にわたる出血を迅速に洗い流すことができるという利点がある。
【００３４】
なお、患部の周囲の組織を切開する途中で、粘膜下層に局注した液体Ｃが他の部位に吸収される等して、病変部が沈んできた場合には、先端チップ６を再度、粘膜下層に押し当てて液体Ｃを局注することが行われる。この場合にも、電極部材３を最大限に後退させて液体Ｃを放出させることにより電極部材３が必要以上に組織に刺さらないようにすることができる。そして、この場合には先端チップ６の先端面６ｃの放出口９ａから放出された液体Ｃは、即座に粘膜下層組織に注入されるため、放出方向には関係なく確実に粘膜下層に局注される。
【００３５】
また、本実施形態においては、摺動孔６ａの周囲に４つの溝６ｂを設け、摺動孔６ａに挿入配置される電極部材３の柱状部３ａによって区画された４つの流路９を形成することとしたが、これに代えて、１以上の任意の数の溝６ｂを形成してもよい。また、溝６ｂを周方向に等間隔に設けたが、不等間隔に設けてもよい。
【００３６】
また、摺動孔６ａに接続する溝６ｂによって流路を形成したが、電極部材３を移動可能に挿入配置させる摺動孔６ａと、液体Ｃを流動させる流路９とは、独立に形成することにしてもよい。この場合には図５に形成されるように摺動孔６ａに平行に複数の貫通孔１１を形成すればよい。また、シース２の内孔２ａ内面とワイヤ４ｄとの間に筒状の流路１０を形成したが、ワイヤ４ｄの配置される内孔２ａとは独立して流路１０を形成する内孔（図示略）を備えていてもよい。
【００３７】
また、本実施形態においては、最大限に後退させられた電極部材３の先端部３ｂによって流路９の放出口９ａを部分的に閉塞するために、流路９の放出口９ａを先端部３ｂの外径よりも径方向外方に突出させて形成したが、これに代えて、径方向外方に突出させなくてもよい。すなわち、図６に示されるように、先端チップ６に電極部材3の先端部３ｂを突き当てる先端面６ｃを流路９の放出口９ａより若干前方に突出させたり、図７および図８に示されるように、先端部３ｂの背面３ｃに段差３ｄや傾斜面３ｅを設けたりして、先端部３ｂを先端面６ｃに突き当てた状態でも流路９の放出口９ａを部分的に開口させることにしてもよい。
【００３８】
また、本実施形態においては、電極部材３を最大限に前進あるいは最大限に後退させることによって流路９の放出口９ａからの液体Ｃの放出方向を切り替えることとしたが、これに代えて、進退の途中位置において中途の放出角度で放出させてもよい。いずれの場合においても、本実施形態においては、電極部材３の先端部３ｂの位置に応じて液体Ｃの放出角度を変化させることができ、内視鏡の視野を動かすことなく、液体Ｃを浴びせる対象の位置あるいは範囲を変更することができる。
【００３９】
また、電極部材３の先端部３ｂが略円板状であるとして説明したが、その形状は限定されるものではなく、柱状部３ａの周方向の少なくとも一部において、長手軸に交差する方向に鍔状に延びる形状であれば、球状、半球状、多角形の板状等任意の形状を有していてもよい。
【符号の説明】
【００４０】
１  高周波処置具
２  シース
３  電極部材
３ｂ  先端部
５  送液手段
６ａ  摺動孔
９  流路
９ａ  放出口
【図１】
2016013255.tif 000003
【図２】
2016013255.tif 000004
【図３】
2016013255.tif 000005
【図４】
2016013255.tif 000006
【図５】
2016013255.tif 000007
【図６】
2016013255.tif 000008
【図７】
2016013255.tif 000009
【図８】
2016013255.tif 000010
【手続補正書】
【提出日】平成27年12月28日(2015.12.28)
【手続補正１】
【補正対象書類名】特許請求の範囲
【補正対象項目名】全文
【補正方法】変更
【補正の内容】
【特許請求の範囲】
【請求項１】
体内に挿入される細長い筒状のシースと、
液体を供給する送液手段と接続され、該送液手段から供給された液体を前記シースの先端側へ送液するために前記シースに形成された流路と、
前記シースの先端に設けられ、長手軸に沿って形成された摺動孔を有する先端チップと、
前記摺動孔内に前記長手軸方向に進退可能に挿入配置され、高周波電流が供給される電極部材と、
該電極部材に接続され、該電極部材を進退させる操作部と、
前記電極部材の先端に設けられ、前記先端チップの先端よりも突出して配置され、前記摺動孔よりも大径に鍔状に延びる電極先端部と、
前記流路と連通するとともに前記先端チップの先端に開口し、一部が前記電極先端部よりも径方向外側に突出して延び、前記送液手段によって送液されてきた前記液体を放出させる放出口と、
前記先端チップの先端に形成され、前記電極先端部が前記先端チップに突き当たるまで前記電極先端部を後退させた状態で、前記電極先端部の基端面が前記先端チップの先端および前記放出口の開口よりも前方に位置するように前記電極先端部を係止する先端面と、
を備える、高周波処置具。
【請求項２】
前記放出口は、前記電極先端部が前記先端チップの先端面から離間させられた状態で、放出された液体が前記長手軸に沿う方向に放出されるように形成されている請求項１に記載の高周波処置具。
【請求項３】
前記放出口は、前記電極先端部が前記先端チップの先端面に突き当たる位置まで前記電極部材が後退させられた状態で、放出された液体が、前記長手軸に対して角度をなして放出されるように形成されている請求項１または請求項２に記載の高周波処置具。
【請求項４】
前記放出口が、前記摺動孔の回りに周方向に間隔をあけて複数設けられている請求項１から請求項３のいずれかに記載の高周波処置具。
【手続補正書】
【提出日】平成28年4月18日(2016.4.18)
【手続補正１】
【補正対象書類名】特許請求の範囲
【補正対象項目名】全文
【補正方法】変更
【補正の内容】
【特許請求の範囲】
【請求項１】
体内に挿入される細長い筒状のシースと、  液体を供給する送液手段と接続され、該送液手段から供給された液体を前記シースの先端側へ送液するために前記シースに形成された流路と、  前記シースの先端に設けられ、長手軸に沿って形成された摺動孔を有する先端チップと、  前記摺動孔内に前記長手軸方向に進退可能に挿入配置され、高周波電流が供給される電極部材と、  該電極部材に接続され、該電極部材を進退させる操作部と、  前記電極部材の先端に設けられ、前記先端チップの先端よりも突出して配置され、前記摺動孔よりも大径に鍔状に延びる電極先端部と、  前記流路と連通するとともに前記先端チップの先端に開口し、一部が前記電極先端部よりも径方向外側に突出して延び、前記送液手段によって送液されてきた前記液体を放出させる放出口と、  前記先端チップの先端に形成され、前記電極先端部が前記先端チップに突き当たるまで前記電極先端部を後退させた状態で、前記電極先端部の基端面が前記先端チップの先端および前記放出口の開口よりも前方に位置するように前記電極先端部を係止する先端面と、を備え、 前記先端チップの前記先端面を含む前記シースよりも先端側に露出する部分が、前記シースの内径よりも大きい外径を有する高周波処置具。
【請求項２】
前記電極先端部が前記先端チップの先端面から離間させられた状態において、前記放出口から放出された液体が、前記電極先端部を超えて前記長手軸に沿う方向に放出される請求項１に記載の高周波処置具。
【請求項３】
前記電極先端部が前記先端チップの先端面に突き当たる位置まで前記電極部材が後退させられた状態において、前記放出口から放出された液体が、前記長手軸に対して角度をなして放出される請求項１に記載の高周波処置具。
【請求項４】
前記放出口が、前記摺動孔の回りに周方向に間隔をあけて複数設けられている請求項１に記載の高周波処置具。
【請求項５】
前記電極先端部が前記先端チップに突き当たる位置まで前記電極先端部を後退させた状態で、前記先端チップの先端と前記電極先端部の基端面との間に位置し、前記先端チップの先端と前記電極先端部の基端面との間に隙間を形成する段差を有する請求項１に記載の高周波処置具。
【請求項６】
前記段差が、前記電極先端部の外径よりも小さい外径を有する請求項５に記載の高周波処置具。
【請求項７】
前記放出口が、前記摺動孔よりも前記径方向外側に位置し、 前記径方向における前記摺動孔と前記放出口との間に、前記摺動孔と前記放出口とを互いに独立させる壁部が形成されている請求項１に記載の高周波処置具。
【手続補正２】
【補正対象書類名】明細書
【補正対象項目名】０００６
【補正方法】変更
【補正の内容】
【０００６】  上記目的を達成するために、本発明は以下の手段を提供する。  本発明の一態様は、体内に挿入される細長い筒状のシースと、液体を供給する送液手段と接続され、該送液手段から供給された液体を前記シースの先端側へ送液するために前記シースに形成された流路と、前記シースの先端に設けられ、長手軸に沿って形成された摺動孔を有する先端チップと、前記摺動孔内に前記長手軸方向に進退可能に挿入配置され、高周波電流が供給される電極部材と、該電極部材に接続され、該電極部材を進退させる操作部と、前記電極部材の先端に設けられ、前記先端チップの先端よりも突出して配置され、前記摺動孔よりも大径に鍔状に延びる電極先端部と、前記流路と連通するとともに前記先端チップの先端に開口し、一部が前記電極先端部よりも径方向外側に突出して延び、前記送液手段によって送液されてきた前記液体を放出させる放出口と、前記先端チップの先端に形成され、前記電極先端部が前記先端チップに突き当たるまで前記電極先端部を後退させた状態で、前記電極先端部の基端面が前記先端チップの先端および前記放出口の開口よりも前方に位置するように前記電極先端部を係止する先端面と、を備え、前記先端チップの前記先端面を含む前記シースよりも先端側に露出する部分が、前記シースの内径よりも大きい外径を有する高周波処置具を提供する。
【手続補正３】
【補正対象書類名】明細書
【補正対象項目名】００１０
【補正方法】変更
【補正の内容】
【００１０】  上記態様においては、前記電極先端部が前記先端チップの先端面から離間させられた状態において、前記放出口から放出された液体が、前記電極先端部を超えて前記長手軸に沿う方向に放出されるようになっている。  このようにすることで、電極部材を最大限に前進させた状態で送液手段を作動させることにより、液体をシースの長手軸に沿って真っ直ぐに放出し、狙った位置に液体をかけて洗浄等を行うことができる。電極部材の進退方向の位置調節が困難であっても、最大限に前進させるだけで容易に、長手軸に沿う放出を実現することができる。
【手続補正４】
【補正対象書類名】明細書
【補正対象項目名】００１１
【補正方法】変更
【補正の内容】
【００１１】  また、上記態様においては、前記電極先端部が前記先端チップの先端面に突き当たる位置まで前記電極部材が後退させられた状態において、前記放出口から放出された液体が、前記長手軸に対して角度をなして放出されるようになっている。  このようにすることで、電極部材を最大限に後退させた状態で送液手段を作動させることにより、液体をシースの長手軸に対して斜め外方に放出し、液体をかける位置をずらすことができる。電極部材の進退方向の位置調節が困難であっても、最大限に後退させるだけで容易に、洗浄位置をずらすことができる。
【国際調査報告】
2016013255.tif 000011
2016013255.tif 000012